(57)【要約】【課題】Ｆ型接栓の取付の作業性を向上する。【解決手段】本体の前面壁に，該本体とは別体で形成されたパネルを備えた直列ユニットにおいて，前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，前記プレート枠に形成された窓孔に対向する位置であって，該窓枠を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した蓋体と，を備えた。【選択図】  図１
2006129648.tif 000002
【特許請求の範囲】
【請求項１】
本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した蓋体と，を備えたことを特徴とした直列ユニット。
【請求項２】
直列ユニットに具備されて，該直列ユニットとは別体に形成される直列ユニット用のパネルにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した蓋体と，を備えたことを特徴とした直列ユニット用のパネル。
【発明の詳細な説明】
【技術分野】
【０００１】
本発明は，主にテレビ共同受信に利用される直列ユニットに関し，詳しくはその直列ユニットの構造に関する。
【背景技術】
【０００２】
従来の直列ユニットは，図５，６に示すようにユニット本体の前面壁にパネル１´が備えられており，当該パネル１´には，有底丸穴から成る凹部４，４が形成されて，該凹部４，４の底部中央より前面壁に備えられたＦ型端子５，５が突設されている。このパネル１´の大きさと形状は，フラッシュプレート（プレート枠）３に形成された窓孔３ａに適応しており，前記直列ユニットを例えばスイッチボックス内に組込んで，パネル１´表面の周囲を前記フラッシュプレート３で閉塞することにより壁内に埋設され，これによってフラッシュプレート３からは，Ｆ型端子５，５を備えたパネル１´のみが顔を出すような構成となっていた。
（例えば，特許文献１参照）
【０００３】
【特許文献１】特開平８−１６８０１５号公報
【発明の開示】
【発明が解決しようとする課題】
【０００４】
しかし，従来の直列ユニットによると，フラッシュプレート３からは，Ｆ型端子５，５を備えたパネル１´のみが顔を出すような構成となっており，そのＦ型端子５，５にはプラグを嵌め込み挿着できるようになっており，例えば前記直列ユニットとテレビ等に介設して，予め同軸ケーブルの両端部に挿し込みプラグが組み付けられた同軸ケーブルを，テレビと直列ユニットに嵌め込み装着するだけで良いので，特殊な技術を要することも無く簡単に誰でも接続することができる。
一方，近年において衛星放送ばかりでなく地上波放送もディジタル化されるに伴い，前記同軸ケーブルや，例えば直列ユニットとプラグとの接続部分において，受信システムに用いられる機器類は妨害電波を受け難い高いシールド性を必要とされるようになってきて，例えば同軸ケーブルにおいては外皮導体を３重に備えさせたものや，分配器，ブースターのように金属製のシールドケースを具備させた製品が使われるようになってきた。
従って，前記接続部分においても摺動固着による挿し込み方式で無く，確実に接続でき，且つシールド性が優れてよい螺合式のＦ型接栓の使用が求められるようになった。
【０００５】
これに対応するように，ディジタル放送を受信するような共同受信機器に一般的に備えられているＦ型端子は，例えば直列ユニットのように亜鉛ダイキャストで成形されたユニット本体６と一体的に形成されていたり，ユニット本体とは別体で金属材料により形成されて，ユニット本体６に固着されていたりするようなものがあり，何れの場合であっても，前記Ｆ型端子５，５の周面には雄螺子が形成されており，内周面に雌螺子が形成されたＦ型接栓も螺合できるよう構成されている。
ところが従来の直列ユニットに備えたパネル１´には，Ｆ型端子５，５の周囲に有底丸穴から成る凹部４，４が形成されて，該凹部４，４の底部中央より前面壁に備えられた前記Ｆ型端子５，５が突設するように形成されており，前記凹部４，４の内径は前記プラグに筒状に形成されたＦ型端子収容部の外径よりやや大きい寸法と成るように，出来得る限り空間が小さくなるように形成されていると共に，前記Ｆ型端子５，５の先端部は，パネル１´の前面壁に対して少なくとも突出しないように前記凹部内に配置されていることから，Ｆ型接栓が完全に固着された状態でＦ型接栓の回転操作部分（所謂，Ｆ型端子収容部）の大部分が，前記パネル１´の凹部４，４に収納されてしまうので，Ｆ型接栓のＦ型端子収容部を回転操作して前記Ｆ型端子５，５に螺合するためには，例え工具を使ったとしても螺合し難い構造となっていた。
そこで本願においては，こうした問題点を解決するためになされたものであり，
その目的は，Ｆ型端子の接続作業の容易な直列ユニットを提供することにある。
他の目的は，Ｆ型端子に対して信頼性の高い接続が可能な直列ユニットを提供することにある。
他の目的は，Ｆ型端子の接続作業を容易とする形状をしたパネルを具備した直列ユニットを提供することにある。
他の目的は，接続作業の容易な直列ユニットを備えた配線システムを提供することにある。
他の目的は，Ｆ型端子の接続作業の容易な直列ユニット用のパネルを提供することにある。
他の目的は，Ｆ型端子に対して信頼性の高い接続が可能な直列ユニット用のパネルを提供することにある。
他の目的は，Ｆ型端子の接続作業を容易とする形状をした直列ユニット用のパネルを提供することにある。
他の目的は,生産性の良い直列ユニットに適したパネルを提供できる。
【課題を解決するための手段】
【０００６】
上記課題を解決するために，請求項１の発明は，本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した端子カバーと，を備えた。
【０００７】
請求項２の発明は，直列ユニットに具備されて，該直列ユニットとは別体に形成される直列ユニット用のパネルにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した端子カバーと，を備えた。
【発明の効果】
【０００８】
上記課題を解決するために，請求項１の発明によれば，本体の前面壁に，該本体とは別体で形成されたパネルを備えた直列ユニットにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した端子カバーと，を備えたので
従来の直列ユニットのように簡単接続可能な嵌め込み方式のプラグを接続する場合は，端子カバーをパネルに装着した状態にしておくことにより，従来と全く同様な使い方ができる。
また，外部からの妨害電波の影響を極力避けることができる螺合式のＦ型接栓を用いて接続する場合は，前記端子カバーを簡単な操作で前記パネルから取り外した状態に変更することができるので，これによって，前記Ｆ型端子の周辺に広い空間が表れることになり，誰でも特殊な技能を有することもなく一般的な工具や指先を使っての簡単な操作で，Ｆ型接栓をＦ型端子に強固に接続することができ，高いシールド性を有した直列ユニットの特性を充分に引き出すことができるのである。
またこのパネルと端子カバーは，一般的に使用されているフラッシプレートの窓枠に対応した形状に形成されているので，汎用性の点においても問題のない直列ユニットを提供できる。
【０００９】
請求項２の発明によれば，直列ユニットに具備されて，該直列ユニットとは別体に形成される直列ユニット用のパネルにおいて，
前記パネルは，少なくとも直列ユニットを取付けるための下枠に装着されるプレート枠に対向配置した基板と，該基板に設けられ上記本体の前面壁に備えた同軸接栓座の頭部が貫通する大きさの透孔と，該透孔の周辺を囲むように前記基板から前面方向に突設させ，その先端部の形状と大きさは前記プレート枠に形成された窓孔に対向する位置であって，該窓枠の周辺を閉塞可能な大きさと形状であるように形成された側壁と，当該パネルに形成された側壁がなす開口端部の前面側から対応して閉塞可能な大きさと形状であって，前記基板に形成した透孔と対向する位置に前記同軸接栓座の頭部が貫通する大きさの透孔と該透孔の周囲に該当透孔と同心形状に形成された筒部が形成され，前記開口端部に着脱自在に形成した端子カバーと，を備えたので
この端子カバーを妨害電波による障害の発生が予測される地域において使用するものに対して取付けておけば螺合式のＦ型接栓を容易に取付け可能な直列ユニットに適したパネルを提供できる。また一般的な嵌め込み式のプラグで対応可能な地域には従来のパネルを取付けて生産できることから生産性のよい直列ユニットに適したパネルを提供できる。
【発明を実施するための最良の形態】
【００１０】
以下に，本発明を具体化した実施形態の例を，図面を基に詳細に説明する。
図１は本発明に係る直列ユニットの斜視図である。図２は端子カバーを外した状態の斜視図である。図３は本願の直列ユニットを壁面に設置したスイッチボックスに収納してプレート枠で閉塞した状態を示す図面である。図４は図３に示すＡ−Ａ線の一部破断した断面図である。図５は従来の直列ユニットの取付状態を示す図面であり，図６は図５におけるＢ−Ｂ線断面図である。
【実施例１】
【００１１】
本発明に係るテレビジョン共同受信用直列ユニット１０を，図面１，２に基づいて説明する。１は取付枠２が側方より挿し込み装着され，例えばＡＣコンセント２個口用の大きな窓３ａを有するフラッシプレート３に適応するパネルであり，そのパネル１は合成樹脂材料を金型によって成型したものであり，該パネル１のＡＣコンセントが位置するべき部位の中央に，それぞれ透孔１ａ，１ｂが形成されている。
その透孔１ａ，１ｂには，それぞれＦ型端子５ａ，５ｂが突設されており，そのＦ型端子５ａ，５ｂはパネル１の裏面に固着された例えば亜鉛ダイキャストを金型で成形したユニット本体６内に収容されている図示されていない回路基板を介して，そのユニット本体６の後面方向に設けられたＦ型端子７と電気的に接続されている。尚，本願の実施例では前記取付枠２とユニット本体６とは，図に示す係止部２ａ，２ｃにおいて着脱自在に係合固着されている。
【００１２】
次に前記パネル１の実施例について更に詳しく説明する。このパネル１はユニット本６体の前面壁と対向するように所定の大きさと形状に形成された基板１１と，前記ユニット本体６の前面壁に備えられたＦ型端子５ａ，５ｂを突設させるための透孔１ａ，１ｂと，該透孔１ａ，１ｂの周辺を囲むように前記基板１１から前面方向に突設させ，その先端部の形状と大きさは前記プレート枠（フラッシプレート）３に形成された窓孔３ａに対向する位置であって，プレート枠３に形成された窓孔３ａを前記パネル１表面と共に閉塞可能な大きさと形状であるように形成され，前記基板１１に一体的に突設させた側壁１２と，該側壁１２と前記パネル１によって形成された空間７がなす開口端（所謂，側壁１２がなす開口端）の前面側から対応して閉塞可能な大きさと形状であって，前記基板１１に形成した透孔１ａ，１ｂと対向する位置に前記同軸接栓座５ａ，５ｂの頭部が貫通する大きさの透孔１８ａ，１９ａと該透孔の周囲に該透孔１８ａ，１９ａと同心形状に形成された筒部１８，１９が形成された前記開口端部に着脱自在に形成した端子カバー１７と，から成る。
この実施例における側壁１２の大きさと形状は，該側壁１２がなす開口端の内周の形状が，前記ファラッシュプレート３の窓枠３ａに対応し，前記側壁１２の上端面の全周が，前記窓枠３ａの周縁の内側部分に当接するように形成されており，前記端子カバー１７は前記側壁１２の内周面に任意の係止手段でもって着脱自在に固着されるように構成されている。
【００１３】
そして前記テレビジョン共同受信用直列ユニットは，例えば図示されていないスイッチボックス内に組込まれ，パネル１表面の周囲をフラッシュプレート３で閉塞することにより埋設される。更にこの状態において，前記窓枠３ａはパネル１の基板１１と側壁１２とによって閉塞状態にあるように取付けられるので，前記フラッシュプレート３には，該フラッシュプレートの窓枠３ａの大きさと形状を有する凹部７が形成され，該凹部７の底部（所謂，パネル表面）からはＦ型接栓５ａ，５ｂが顔を出し，さらには凹部７を閉塞するように端子カバー１７が取付けられているのである。
【００１４】
このときのＦ型接栓やプラグを先端部に備えた同軸ケーブル１５，１６の接続の状態を図４に示す。この図は図３に示すＡ−Ａ線の断面図を示している。
先ず同軸ケーブル１６を取付ける場合について説明する。この場合はＦ型端子５にプラグ１６を嵌め込み装着するものであり，この場合においては前記端子カバー１７を装着した状態で接続を行う事は従来と全く同じ方法であり，接続作業になんらの問題も発生しない。
次に同軸ケーブル１５を取付ける場合について説明する。この場合はＦ型端子５にＦ型接栓１５ａを螺合によって接続するものであり，この場合においては端子カバー１７を装着した状態であっても，接続作業としては従来の実施例と同様になる。ところが，課題にも示す通り，確実に接続し難い構造と成っている。
即ち，同軸ケーブル１５の先端部に具備された前記Ｆ型端子に接続するための筒状に形成された接栓座収容部１５ａには，内周面に前記Ｆ型端子５ａに形成された雄螺子に対応する雌螺子が形成されていると共に，外周面は接栓収容部１５ａの回転操作を容易にするために例えば６角形状に形成されているのであるが，嵌め込み式のプラグとは違って，Ｆ型接栓を確実に接続するためには，一般的に市販されている工具等を用いて前記接栓収容部１５ａ等を回転操作する必要があり，前記回転操作部の周辺には工具を使える空間が広い方が作業性が良いのである。
【００１５】
そこで，本願の直列ユニットを用いれば，直列ユニットのＦ型端子５ａ，５ｂの周辺には，従来からあるフラッシプレート３の窓枠３ａの範囲で広い空間７が形成されており，前記端子カバー１７を着脱操作によって，前記空間７を表出するか閉塞状態におくかを選択的に選べるので，プラグ１６を嵌め込み接続する場合はどちらの状態においても接続可能であるのはもちろん，Ｆ型接栓１５を螺合によって接続する場合であれば，前記端子カバー１７を取り外すことによって，指先やラジオペンチ等の工具を用いてパネル１やプレート３に邪魔されることなく，Ｆ型接栓の接栓座収容部１５ａを回転操作でき，簡単且つ確実にコネクタを螺合させることができるのである。
更にこれによって，Ｆ型接栓とＦ型端子との接続部分における外部からの妨害電波に対するシールド性が，摺動固着による嵌め込み方式のプラグに比して，極めて優れた接続ができ，ディジタル放送を受信するときであっても妨害のない美しい画像を見ることができる直列ユニットを提供できるのである。
またこのパネル１と端子カバー１７は，一般的に使用されているフラッシプレート３の窓枠３ａに対応した形状に形成されているので，汎用性の点においても問題のない直列ユニットを提供できるのである。
【００１６】
次に本発明の更なる特長である端子カバーについて更に詳しく説明する。尚，以下の説明では，上記第１の実施形態の直列ユニットと同様の構成要素については同一符号を付与し，詳細な説明は省略する。                            
この端子カバー１７は，前記収容空間７に対してパネルの表面側から着脱自在に閉塞固着できるように形成したものである。
この実施例では，端子カバー１７は前記パネル１に形成された側壁１２がなす開口端部の前面側から対応して閉塞可能な大きさと形状であって，前記基板１１に形成した透孔１ａ，１ｂと対向する位置に前記同軸接栓座５ａ，５ｂの頭部が貫通する大きさの透孔１８ａ，１９ａと該透孔１８ａ，１９ａの周囲に１８ａ，１９ａと同心形状に形成された筒部１８，１９が形成され，前記開口端部に任意の係止手段によて着脱自在と成るように形成されている。
更にこの端子カバー１７の外径の大きさと形状は，前記フラッシプレート３の窓枠３ａに対応するように形成されており，前記端子カバー１７をパネル１に固着した状態であってもフラッシプレート３取付けることができるし，フラッシプレート３を取付けた後からでも前記パネル１に着脱自在とすることができるのである。１７ａ，１７ａ・・・はドライバーの先端などを挿入して前記端子カバー１７を取外すための取外し孔である。
尚，この端子カバー１７は例えば合成樹脂材を金型で成形して形成されている。
【００１７】
このように，本願の実施例によれば，パネル１に端子カバー１７を着脱自在に備えさせて，Ｆ型端子５の周辺に作業用の空間９を形成し，該空間９を表出させるかさせないかを，選択的に選べるように構成したので，従来の直列ユニットのように簡単接続可能な嵌め込み方式のプラグ１６を接続する場合は，端子カバー１７をパネル１に装着した状態にしておくことにより，従来と全く同様な使い方ができる。
また，外部からの妨害電波の影響を極力避けることができる螺合式のＦ型接栓を用いて接続する場合は，前記端子カバー１７を簡単な操作で前記パネル１から取り外した状態に変更することができるので，これによって，前記Ｆ型端子５ａ，５ｂの周辺に広い空間７が表れることになり，誰でも特殊な技能を有することもなく一般的な工具や指先を使っての簡単な操作で，Ｆ型接栓をＦ型端子に強固に接続することができ，高いシールド性を有した直列ユニットの特性を充分に引き出すことができるのである。
またこのパネル１と端子カバー１７は，一般的に使用されているフラッシプレートの窓枠３ａに対応した形状に形成されているので，汎用性の点においても問題のない直列ユニットを提供できるのである。
尚，本発明は上記実施の形態に限定されるものではなく，本発明の趣旨を逸脱しない範囲で各部の構成を適宜に変更して実施することも可能である。
【図面の簡単な説明】
【００１８】
【図１】本発明に係る直列ユニットの斜視図である。
【図２】図１において端子カバーを取外した時の斜視図である。
【図３】本願の直列ユニットを壁面に設置したスイッチボックスに収納してプレート枠で閉塞した状態を示す図面である。
【図４】図３に示すＡ−Ａ線の一部破断した断面図である。
【図５】従来の直列ユニットの取付状態を示す図面である。
【図６】図５におけるＢ−Ｂ線断面図である。
【符号の説明】
【００１９】
１・１´…パネル，１ａ，１ｂ…貫通孔，２…取付枠，２ａ，２ｂ，２ｃ…係止部，３…フラッシプレート，３ａ…窓枠，４…凹部，５…Ｆ型端子，６…ユニット本体，７…Ｆ型端子，９…空間，１０…直列ユニット，１１…基板，１２…側壁，１５・１６…同軸ケーブル，１５ａ…Ｆ型接栓（接栓座収容部），１６ａ…プラグ，１７…端子カバー，１７ａ・１７ａ…取り外し部，１８…筒部１８ａ…透孔，１９…筒部，１９ａ…筒部
【図１】
2006129648.tif 000003
【図２】
2006129648.tif 000004
【図３】
2006129648.tif 000005
【図４】
2006129648.tif 000006
【図５】
2006129648.tif 000007
【図６】
2006129648.tif 000008